【手続補正書】
【提出日】平成16年2月4日(2004.2.4)
【手続補正１】
【補正対象書類名】明細書
【補正対象項目名】００１７
【補正方法】変更
【補正の内容】
【００１７】
一方、前記保持枠２２においては、図４、図５および図７に示すように、窓枠口２１の下部内側に位置する遊技補助盤３１が一体成形されており、この遊技補助盤３１の上端縁を基準にして前記セット口２３が開設されている。そして、遊技補助盤３１の正面左上に遊技球用の球給出口３２が開設される一方、該遊技補助盤３１の前面側に、ファール球回収路部材３３、スピーカ３４を内蔵したスピーカケース３５および発射レール３６等が取着される。更に、前記遊技補助盤３１の裏面側には、アウト路３７が形成されると共に、前記機構セット盤Ｈが当接する裏当て板３８が取着されるようになっている(図６)。なお、前記ファール球回収路部材３３およびスピーカケース３５は、カーボンチップ入りのＡＢＳ材から所要形状に一体成形されて導電性を有し、また前記発射レール３６の樹脂部品３９も、カーボンチップ入りのポリプロピレン(以下「ＰＰ」)材から所要形状に成形されて導電性を有している。更に前記裏当て板３８は、カーボンチップ入りのＰＰ材から所要形状に一体成形されて導電性を有しており、球給出口３２に整合する開口部４４等が設けられている。


【手続補正２】
【補正対象書類名】明細書
【補正対象項目名】００１９
【補正方法】変更
【補正の内容】
【００１９】
(上球皿)
前記上球皿Ｄは、図４、図７および図８に示すように、横長方形のセット盤部５０と一体に成形した皿本体５１と、横長ラウンド形状の外郭体５２等、帯電防止剤入りのＡＢＳ材等から成形した複数の樹脂成形部材を組み合わせてユニット化され、前記セット盤部５０の裏側に取着した上・下の連結金具５３,５４を中枠Ｂの左端に固定した上・下の連結金具４２,４３に係合させることで、該中枠Ｂにおける窓枠口２１の内側下部(遊技補助盤３１の前側)に着脱および横開きが可能に組付けられる。また前記セット盤部５０の裏側には、前記第３ロック金具３０が係脱可能に係止する上球皿鍵受金具５５、不正行為を目的とした異物侵入阻止を図る防犯金属板５６および球送り装置Ｇ等が配設されている。また前記皿本体５１の球受面には、貯留球の円滑な流動を図るための球流し金具５７が敷設されている。そして前記中枠Ｂに閉成した際には、前記遊技補助盤３１の前側に整合すると共に、前記下球皿Ｅにおける外郭体４７の上面に載置された状態で整合セットされ、また前記第３ロック金具３０と上球皿鍵受金具５５とが係合する。なお前記球送り装置Ｇの樹脂ケースは、導電性カーボン質材料を複合化したＡＢＳ材等から一体成形されて導電性を有している。


【手続補正３】
【補正対象書類名】明細書
【補正対象項目名】００２３
【補正方法】変更
【補正の内容】
【００２３】
また前記下本体９０Ｂは、球払出路１０５の構成基盤とされて該払出路１０５の一部が一体的に形成されていると共に、前記第１および第２球払出装置Ｊ１,Ｊ２、前記主制御装置１２２、払出制御装置１２３、電源分配基板１２４およびインターフェースボード１２５の設置基盤を兼用している。前記球払出路１０５は、下本体９０Ｂの背面側(図１４において手前側)に設けられて前記第１および第２球払出装置Ｊ１,Ｊ２の下方から前記球給出口３２に整合する球通口１０８まで延在する上球払出路１０６と、下本体９０Ｂの前面側(図１４において裏側)に設けられて前記球通口１０８から下球皿Ｅまで延在する下球払出路１０７とからなり(図５)、前記上球払出路１０６下流の前記球通口１０８に臨む部位に球受部材１１１が装着されると共に、球案内部材１１９を組付けた球払出路部材１０９が上球払出路１０６に臨むように装着される一方、裏金属板１１０が下球払出路１０７に臨むように装着されるようになっている。そして、球払出路部材１０９はカーボンチップ入りのＡＢＳ材、球案内部材１１９および球受部材１１１は夫々がカーボンチップ入りのＰＰ材から成形され、夫々の部材１０９,１１９,１１１が導電性を有している。また、満タンレバー１１３および満タンスイッチホルダ１１４はＰＯＭ(ポリアセタール)から成形され、セーフ球払出装置を覆蓋するカバー板１１５は帯電防止剤入りのＰＣ材から成形されている。更に、前記電源分配基板１２４用の基板ベース部材１１２は帯電防止剤入りのＡＢＳ材、インターフェースボード１２５のボードケース１１８は帯電防止剤入りのＰＣから成形されている。一方、前記第１球払出装置Ｊ１および第２球払出装置Ｊ２は基本的に同タイプのものが実施され、両装置Ｊ１,Ｊ２のケース部材は、カーボンチップ入りのＰＣ材から成形されて導電性を有している。


【手続補正４】
【補正対象書類名】明細書
【補正対象項目名】００２５
【補正方法】変更
【補正の内容】
【００２５】
(中枠のアース態様)
前記中枠Ｂは、前述したように、導電剤入りのＡＢＳ材から全体が一体成形されているので該中枠Ｂ全体が導電性を有しており、また遊技補助盤３１の裏側に取着される前記裏当て板３８も導電性を有している。このもとで実施例の中枠Ｂは、図２および図１６に示すように、前記枠体２０の背面右下部位に、前記電源基板１３１の第１アース用コネクタ１４０に差込接続される第１コネクタ１４２に端部接続された第６アース線(導電部材)１５６の他端が端部接続され、この第１コネクタ１４２を前記第１アース用コネクタ１４０に差込接続することで、中枠Ｂと第１アース用コネクタ１４０の１番ピン１４０ａとの電気的な導通が図られて、該中枠Ｂに帯電された静電気は第６アース線１５６を介して前記１番ピン１４０ａへ流れるようになっている。一方、中枠Ｂの背面に取着された前記裏当て板３８の右下部位に、前記インターフェースボード１２５におけるコネクタ１４５の１番ピンに端部接続される第７アース線１５７の他端が端部接続され、前記中枠Ｂに帯電された静電気の一部がこの第７アース線１５７およびインターフェースボード１２５を介して前記球貸しユニットＫへ流れるようになり、当該パチンコ遊技機Ｐと球貸しユニットＫ間の電位が同一となるように考慮されている。


【手続補正５】
【補正対象書類名】明細書
【補正対象項目名】００３０
【補正方法】変更
【補正の内容】
【００３０】
更に、下球払出路１０７の壁部を構成する前記裏金属板１１０は、機構セット盤Ｈを前記中枠Ｂ(保持枠２２)に取着した際に、前記裏当て板３８に接触するようになっており、従って該裏金属板１１０と中枠Ｂとの電気的な導通が図られている。これにより、前記裏金属板１１０に帯電した静電気は、裏当て板３８および中枠Ｂへ流れた後、前記第６アース線１５６を介して第１アース用コネクタ１４０の１番ピン１４０ａへ流れるようになっている。


【手続補正６】
【補正対象書類名】明細書
【補正対象項目名】００４９
【補正方法】変更
【補正の内容】
【００４９】
このように本実施例のパチンコ遊技機Ｐでは、該遊技機Ｐを構成する中枠Ｂ、前枠Ｃ、上球皿Ｄ、下球皿Ｅ、遊技盤Ｉ、機構セット盤Ｈ等の構成部材と、これら各構成部材Ｂ,Ｃ,Ｄ,Ｅ,Ｉ,Ｈに配設される各種の付属部材や部品を、導電剤入りの合成樹脂材および／または帯電防止剤入りの合成樹脂材から成形する一方、これら各部材を成形金具や金属板およびアース線等の導電性を有する部材を介して、裏カバー部材１２０に設置した前記電源基板１３１へ集約的に接続し、該電源基板１３１から機外または当該遊技機Ｐの電源(ＡＣ２４Ｖ)へアースするように構成されている。殊に、球補給設備から補給されるパチンコ球が帯電している外部静電気は基本的に外部(島設備等)へアースする一方、当該パチンコ遊技機Ｐ内で発生した内部静電気は当該遊技機Ｐの電源(ＡＣ２４Ｖ)または外部へ適宜アースするようになるから、前記各構成部材Ｂ,Ｃ,Ｄ,Ｅ,Ｉ,Ｈおよび付属部材・部品に静電気が帯電することを好適に防止して効率的なアース対策を図ることが可能となり、これにより静電気を原因としたノイズ発生および機器の誤動作、故障等を好適に回避し得る。


【手続補正７】
【補正対象書類名】明細書
【補正対象項目名】００５４
【補正方法】変更
【補正の内容】
【００５４】
なお本実施例では、基本的に、パチンコ遊技機Ｐを構成する略全ての構成部材および部品を、導電剤入りの合成樹脂材または帯電防止剤入りの合成樹脂材および導電性を有する金属部品から形成した場合を例示したが、製造コスト、成形性、質感、材質等の様々なファクターを考慮した場合、少なくとも前記パチンコ球が接触する部位に配設された構成部材および付属部材・部品を、導電材および／または帯電防止材から形成するようにしてもよい。